(57)【要約】【課題】ズボン側より簡単に着脱でき、ズボンの上げ，下げも容易に行え、ズボンのずり落ち防止と共に、上着衣のめくれ出しも防げ、装身状態が外部に露呈しないズボンずり落ち防止具を構成する。【解決手段】細幅な略長方形の基体フレーム１と、基体フレーム１の両側端寄りから相平行する直角方向に伸びる左右の支柱軸２ａ，２ｂと、支柱軸２ａ，２ｂの軸線間でスライド可能に掛け渡された挟み桟３と、各支柱軸２ａ，２ｂの軸下側より仰角に折れ曲がる軸端間に掛け渡された円弧状の弾性環４とからなり、  上着衣の布地部分をズボンの胴回り付近で基体フレーム１と挟み桟３とで挟み込んでから、基体フレーム１，挟み桟３を上着衣の挟み込んだ布地部分より上側部分の下側に回し込むと共に、支柱軸２ａ，２ｂから前に向く弾性環４をズボンの内側に挿置させて弾性環４をズボンの裏側にあてがう器具として構成した。【選択図】図１
2008002026.tif 000002
【特許請求の範囲】
【請求項１】
各々別に両側の脇腹付近で上着衣とズボンとの間に掛渡し装身する二個組のズボンずり落ち防止具であって、細幅な略長方形の基体フレームと、基体フレームの両側端寄りから相平行する直角方向に伸びる左右の支柱軸と、支柱軸の軸線間でスライド可能に掛け渡された挟み桟と、各支柱軸の軸下側より仰角に折れ曲がる軸端間に掛け渡された円弧状の弾性環とからなり、
上着衣の布地部分をズボンの胴回り付近で基体フレームと挟み桟とで挟み込んでから、基体フレーム，挟み桟を上着衣の挟み込んだ布地部分より上側部分の下側に回し込むと共に、支柱軸から前に向く弾性環をズボンの内側に挿置させて弾性環をズボンの裏側にあてがう器具として構成したことを特徴とするズボンずり落ち防止具。
【請求項２】
基体フレームと挟み桟とから挟み込んだ上着衣の布地部分を更に挟み込む押え片を基体フレームの下側辺より張り出させて設けたことを特徴とする請求項１に記載のズボンずり落ち防止具。
【請求項３】
円弧方向に亘るローレット溝付の弾性環を備え付けたことを特徴とする請求項１に記載のズボンずり落ち防止具。
【発明の詳細な説明】
【技術分野】
【０００１】
本発明は、各々別に両側の脇腹付近で上着衣とズボンとの間に掛渡し装身する二個組のズボンずり落ち防止具に関するものである。
【背景技術】
【０００２】
この種のズボンずり落ち防止具としては、細幅な略長方形の基体フレームと、基体フレームの両側端寄りから相平行する直角方向に伸びる左右の支柱軸と、支柱軸の軸線間でスライド可能に掛け渡された挟み桟とからなり、支柱軸の軸端側をＵ字状に折り曲げたものが提案されている（特許文献１）。
【０００３】
そのズボンずり落ち防止具は、上着衣の布地部分をズボンの胴回り付近で基体フレームと挟み桟とで挟み込んでから、基体フレーム，挟み桟を上着衣の挟み込んだ布地部分より上側部分の下側に回し込むと共に、支柱軸をベルトの裏面側に挿置させて支柱軸のＵ字状に折り曲げた軸端側をベルトの下側辺に掛け止める器具として構成されている。
【０００４】
その防止具の他に、上述したと同様な上着衣の把持部を備えると共に、支柱軸の軸線間に位置する略相似形のコの字状を呈し、眼環状の軸下端を支柱軸の軸下側より直角方向の内側に折れ曲がる軸端の軸線上に嵌め合わせた回転自在な内外の挟み枠を組み付け、ズボンの胴裏地を上方に向く内外の挟み枠で挟持することから、上着衣とズボンとの間に掛渡し装身するものが提案されている（特許文献２，３）。
【特許文献１】意匠登録第１２４１８６２号
【特許文献２】意匠登録第１２４４４７０号
【特許文献３】特開２００６−４５７０４
【発明の開示】
【発明が解決しようとする課題】
【０００５】
本発明は、ズボン側より簡単に着脱でき、また、ズボンの上げ，下げも容易に行え、ズボンのずり落ち防止と共に、上着衣のめくれ出しも防げ、装身状態が外部に露呈しないズボンずり落ち防止具を提供することを目的とする。
【０００６】
それに加えて、装身状態を更に確実に保てるズボンずり落ち防止具を提供することを目的とする。
【課題を解決するための手段】
【０００７】
本発明の請求項１は、細幅な略長方形の基体フレームと、基体フレームの両側端寄りから相平行する直角方向に伸びる左右の支柱軸と、支柱軸の軸線間でスライド可能に掛け渡された挟み桟と、各支柱軸の軸下側より仰角に折れ曲がる軸端間に掛け渡された円弧状の弾性環とからなり、
上着衣の布地部分をズボンの胴回り付近で基体フレームと挟み桟とで挟み込んでから、基体フレーム，挟み桟を上着衣の挟み込んだ布地部分より上側部分の下側に回し込むと共に、支柱軸から前に向く弾性環をズボンの内側に挿置させて弾性環をズボンの裏側にあてがう器具として構成したことを特徴とする。
【０００８】
本発明の請求項２は、基体フレームと挟み桟とから挟み込んだ上着衣の布地部分を更に挟み込む押え片を基体フレームの下側辺より張り出させて設けたことを特徴とする。
【０００９】
本発明の請求項３は、円弧方向に亘るローレット溝付の弾性環を備え付けたことを特徴とする。
【発明の効果】
【００１０】
本発明の請求項１に係るズボンずり落ち防止具では、上着衣の布地部分をズボンの胴回り付近で基体フレームと挟み桟とで挟み込んでから、基体フレーム，挟み桟を上着衣の挟み込んだ布地部分より上側部分の下側に回し込む上着衣側以外は、支柱軸より弾性環までをズボンの内側に挿置させて弾性環をズボンの裏側にあてがうだけであるため、ズボンのずり落ち防止は勿論、ズボン側より容易に着脱でき、また、ズボンの上げ，下げも容易に行える。
【００１１】
そのズボンのずり落ち防止のみならず、ゴルフプレー中を例示すると、上着衣の裾側が度重なるスイングに伴ってズボンからめくれ出してしまうことが生ずるが、スイングに伴ってはズボン側が逆に引っ張られるようになるため、上着衣の裾側がズボンからめくれ出すことも防げる。
【００１２】
本発明の請求項２に係るズボンずり落ち防止具では、基体フレームと挟み桟とから挟み込んだ上着衣の布地部分を更に挟み込む押え片を設けることから、挟み桟のズレ出しを防げ、上着衣の布地部分をより確実に挟持できる。
【００１３】
本発明の請求項３に係るズボンずり落ち防止具では、円弧方向に亘るローレット溝付の弾性環を備え付けることから、弾性環をズレにくいようズボンの裏側にあてがえるようにできる。
【発明を実施するための最良の形態】
【００１４】
図示のズボンずり落ち防止具は、図１で示す装身状態の正面向きを基準に説明すると、細幅な略長方形の基体フレーム１と、基体フレーム１の両側端寄りから相平行する直角方向に伸びる左右の支柱軸２ａ，２ｂと、支柱軸２ａ，２ｂの軸線間でスライド可能に掛け渡された挟み桟３と、各支柱軸２ａ，２ｂの軸下側より仰角に折れ曲がる軸端間に掛け渡された円弧状の弾性環４と、基体フレーム１の下側辺より張り出す押え片５とから構成されている。
【００１５】
基体フレーム１は、図２，３で示すように両側端を閉塞させた断面略下向きＵ字状を呈するアルミ等の金属部材で形成されている。その基体フレーム１の上側辺１ａは、上着衣の布地部分に巻き込み易くすることから緩やかな円弧形を呈するよう形成されている。また、下側辺は押え片５を支持するものとして薄く面取りされた張出し縁１ｂ，１ｃで形成されている。
【００１６】
支柱軸２ａ，２ｂは、橋絡軸２ｃ（図３参照）を含むコの字状に折り曲げた丸棒状の金属部材で形成されている。その支柱軸２ａ，２ｂは、橋絡軸２ｃを基体フレーム１の隙間内に圧入することから、基体フレーム１の両側端寄りから相平行する直角方向に伸びるよう組付け固定されている。支柱軸２ａ，２ｂの軸下側２ｄ，２ｅは、略６０°の角度を呈する程度の仰角に折り曲げられている。
【００１７】
挟み桟３は、狭幅な帯板状の金属部材から形成されている。その挟み桟３は、図４で示すように主要部３ａを支柱軸２ａ，２ｂの軸前側にあてがうと共に、両端部３ｂ，３ｃを支柱軸２ａ，２ｂの軸後側に巻き付けるよう湾曲させて支柱軸２ａ，２ｂの軸線間でスライド可能に掛け渡されている。この挟み桟３は、支柱軸２ａ，２ｂの相対間隔を多少狭める方向に偏倚させれば容易にスライドさせられるよう支柱軸２ａ，２ｂの軸線間に掛け渡されている。
【００１８】
弾性環４は、撓み変形可能な円筒状のゴム部材から形成されている。その弾性環４は、支柱軸２ａ，２ｂの軸下側２ｄ，２ｅの折曲げ軸端を中心穴４ａ（図３参照）に圧入することから円弧状を呈するよう支柱軸２ａ，２ｂの軸線間に掛渡し装着されている。この弾性環４としては、円弧方向に亘る滑止め用のローレット溝４ｂを円周全面に設けたものが備え付けられている。
【００１９】
押え片５は、断面略下向きコの字状に折り曲げた薄板状の金属部材で形成されている。その押え片５は、コの字の略全体を基体フレーム１の隙間内に圧入することから、前後の押え縁５ａ，５ｂが基体フレーム１の張出し縁１ｂ，１ｃと略同じ横幅に亘って相対的に大きく突出するよう組付け固定されている。
【００２０】
押え縁５ａ，５ｂのうち、前縁側５ａは上着衣の布地部分を挟み桟３とから確実に挟み込み、且つ、挟み桟３のズレ止め用とし、後縁側５ｂは突張り剛性を前縁側５ａに持たせるものとして形成されている。各押え縁５ａ，５ｂは、先端側が尖らないようコの字の内側に丸め込まれている。
【００２１】
具全体の大きさは、基体フレーム１の長手方向で４ｃｍ程度、支柱軸２ａ，２ｂの相対間隔で３ｃｍ程度、基体フレーム１の上側辺から支柱軸２ａ，２ｂの先端までの長さで５ｃｍ程度に設定すればよい。
【００２２】
このように構成するズボンずり落ち防止具では、図６で示す如く二個組に両側の脇腹付近で上着衣ＳとズボンＰとの間に掛け渡すことから、ズボンのずり落ち防止と共に、上着衣のめくれ出し防止も図れる。その装身状態では、二個共に、具全体が外部に露呈しない。
【００２３】
その装身にあたっては、図７ａで示すように弾性環４が上位で後に向く具全体の初期姿勢を基準とし、挟み桟を３基体フレーム１より離間させてズボンＰの胴回り直上辺りで摘んだ上着衣Ｓの前身頃を弾性環４の下側より挟み桟３の上側に引き込み、更に、図７ｂで示すように押え縁５から基体フレーム１と挟み桟との間隔内に引き入れる。
【００２４】
その後に、図７ｃで示すように挟み桟３を押え縁５と近接するまでスライドさせて前身頃の先端側を挟み桟３と基体フレーム１，押え縁５とで挟み込む。これにより、上着衣Ｓの布地部分は挟み桟３と基体フレーム１，押え縁５とから確りと挟み込め、挟み桟３がズレ出すのも防げる。次に、図７ｄで示すように具全体を反転させて弾性環４を下位で前に向ける。
【００２５】
その具全体の反転は、図７ｅで示すように基体フレーム１，挟み桟３を上着衣Ｓの挟み込んだ布地部分より上側部分の下側に回し込むよう行う。これにより、基体フレーム１と挟み桟３を上着衣Ｓの内側に巻き込むようにできる。
【００２６】
最後に、支柱軸２ａ，２ｂより弾性環５をズボンの内側に挿置させて弾性環５をズボンＰの裏側にあてがうだけで上着衣ＳとズボンＰとの間に掛渡し装身できる。その弾性環５の挿置位置は、弾性環５がベルトＢを着用の場合でベルトＢの下側辺に掛かる程度でよい（図６参照）。この弾性環５はズボンＰの裏側にあてがわれているだけであるから、ズボンの上げ，下げは容易に行える。
【図面の簡単な説明】
【００２７】
【図１】本発明に係るズボンずり落ち防止具を示す正面図である。
【図２】図１のズボンずり落ち防止具を示す背面斜視図である。
【図３】図１のズボンずり落ち防止具を示す側断面図である。
【図４】図１のズボンずり落ち防止具を示す底面図である。
【図５】図１のズボンずり落ち防止具を示す背面図である。
【図６】図１のズボンずり落ち防止具を装身状態で示す説明図である。
【図７ａ】図１のズボンずり落ち防止具を上着衣側に装着する初期状態を示す手順説明図である。
【図７ｂ】図３ａに引き続いて上着衣の布地部分を基体フレームと挟み桟との間に引き込む工程を示す手順説明図である。
【図７ｃ】図３ｂに引き続いて上着衣の布地部分を基体フレームと挟み桟とで挟持する工程を示す手順説明図である。
【図７ｄ】図３ｃに引き続いて具全体を反転する工程を示す手順説明図である。
【図７ｅ】図１のズボンずり落ち防止具を上着衣側に装着した状態を示す説明図である。
【符号の説明】
【００２８】
１            基体フレーム
２ａ，２ｂ    支柱軸
３            挟み桟
４            弾性環
４ｂ          ローレット溝
５            押え片
【図１】
2008002026.tif 000003
【図２】
2008002026.tif 000004
【図３】
2008002026.tif 000005
【図４】
2008002026.tif 000006
【図５】
2008002026.tif 000007
【図６】
2008002026.tif 000008
【図７ａ】
2008002026.tif 000009
【図７ｂ】
2008002026.tif 000010
【図７ｃ】
2008002026.tif 000011
【図７ｄ】
2008002026.tif 000012
【図７ｅ】
2008002026.tif 000013